【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
通信装置であって、
コンテンツデータを記録媒体に記録するよう制御する記録制御手段と、
予め登録された装置以外の装置を含む複数の装置のいずれかと接続するための第一の接続手順と、前記予め登録された装置と接続するための第二の接続手順とを含む複数の手順うちのいずれか一つの手順で、外部装置と接続する接続手段と、
前記記録媒体に記録されているコンテンツデータを前記接続している外部装置に送信する送信手段と、
前記第一の接続手順で接続した場合、前記送信手段により前記外部装置に送信するコンテンツデータが前記通信装置の操作部に対する操作によって選択される第一の状態となるよう制御し、前記第二の接続手順で接続した場合、前記送信手段により前記外部装置に送信するコンテンツデータが前記外部装置の操作部に対する操作によって選択される第二の状態となるよう制御する制御手段とを有することを特徴とする通信装置。
【請求項２】
通信装置であって、
コンテンツデータを記録媒体に記録するよう制御する記録制御手段と、
予め登録された装置以外の装置を含む複数の装置のいずれかと接続するための第一の接続手順と、前記予め登録された装置と接続するための第二の接続手順とを含む複数の手順うちのいずれか一つの手順で、外部装置と接続する接続手段と、
前記外部装置に送信するコンテンツデータが前記通信装置の操作部に対する操作によって選択される第一の状態および前記外部装置に送信するコンテンツデータが前記外部装置の操作部に対する操作によって選択される第二の状態を含む複数の状態のいずれかの状態において選択された前記コンテンツデータを前記接続している外部装置に送信する送信手段と、
前記第二の接続手順で接続した場合、前記第一の状態に遷移することを制限するよう制御する制御手段を有することを特徴とする通信装置。
【請求項３】
前記制御手段は、前記第二の接続手順で接続した場合、前記第二の状態となるよう制御し、前記第一の接続手順で接続した場合、前記第一の状態となるよう制御することを特徴とする請求項２に記載の通信装置。
【請求項４】
前記第一の接続手順で接続した場合、前記第一の状態に遷移することを制限しないよう制御する制御手段を有することを特徴とする請求項２または３に記載の通信装置。
【請求項５】
前記第一の接続手順で接続する場合、前記制御手段は、前記第一の状態にするか前記第二の状態にするかを、ユーザ操作に基づき決定することを特徴とする請求項２に記載の通信装置。
【請求項６】
前記第一の接続手順で外部装置と接続する際に、前記制御手段は、前記外部装置へのコンテンツの公開の可否をユーザからの指示に基づき決定し、
前記公開が不許可と決定された場合、前記制御手段は、前記第二の状態に遷移することを制限するよう制御し、
前記公開が許可と決定された場合、前記制御手段は、前記第二の状態に遷移することを制限しないよう制御する
ことを特徴とする請求項２に記載の通信装置。
【請求項７】
過去に接続したことがある外部装置に関する情報を履歴として保持する保持手段を更に有し、
前記第一の接続手順で接続する外部装置が前記保持手段に情報が保持されている装置である場合、前記制御手段は、前記第一の状態となるか前記第二の状態となるかを、前記履歴に基づき自動的に決定することを特徴とすることを特徴とする請求項２乃至６のいずれか１項に記載の通信装置。
【請求項８】
前記接続手順の違いを識別可能に表示する表示手段を更に有することを特徴とする請求項２乃至７のいずれか１項に記載の通信装置。
【請求項９】
前記制御手段は、前記第二の接続手順で外部装置と接続する場合、前記第二の接続手順で接続することを前記外部装置に通知するよう制御することを特徴とする請求項２乃至８のいずれか１項に記載の通信装置。
【請求項１０】
前記コンテンツデータは、画像データ、映像データ、および音データのうち少なくともいずれか一つを含むことを特徴とする請求項２乃至９のいずれか１項に記載の通信装置。
【請求項１１】
前記第二の接続手順は、前記第一の接続手順よりも、接続を確立するまでに必要なユーザ操作の量が少ないことを特徴とする請求項２乃至１０のいずれか１項に記載の通信装置。
【請求項１２】
前記第二の接続手順を開始するためのハードウェアスイッチを更に有することを特徴とする請求項２乃至１１のいずれか１項に記載の通信装置。
【請求項１３】
前記接続手段は、ネットワーク識別子を含むビーコンを発信することで、前記外部装置との接続を確立するための処理を開始することを特徴とする請求項２乃至１２のいずれか１項に記載の通信装置。
【請求項１４】
通信装置の制御方法であって、
コンテンツデータを記録媒体に記録するよう制御する記録制御ステップと、
予め登録された装置以外の装置を含む複数の装置のいずれかと接続するための第一の接続手順と、前記予め登録された装置と接続するための第二の接続手順とを含む複数の手順うちのいずれか一つの手順で、外部装置と接続する接続ステップと、
前記記録媒体に記録されているコンテンツデータを前記接続している外部装置に送信する送信ステップと、
前記第一の接続手順で接続した場合、前記送信ステップにおいて前記外部装置に送信されるコンテンツデータが前記通信装置の操作部に対する操作によって選択される第一の状態となるよう制御し、前記第二の接続手順で接続した場合、前記送信ステップにおいて前記外部装置に送信されるコンテンツデータが前記外部装置の操作部に対する操作によって選択される第二の状態となるよう制御する制御ステップとを有することを特徴とする通信装置の制御穂法。
【請求項１５】
通信装置の制御方法であって、
コンテンツデータを記録媒体に記録するよう制御する記録制御ステップと、
予め登録された装置以外の装置を含む複数の装置のいずれかと接続するための第一の接続手順と、前記予め登録された装置と接続するための第二の接続手順を含む複数の手順うちのいずれか一つの手順で、外部装置と接続する接続ステップと、
前記外部装置に送信するコンテンツデータが前記通信装置の操作部に対する操作によって選択される第一の状態および前記外部装置に送信するコンテンツデータが前記外部装置の操作部に対する操作によって選択される第二の状態を含む複数の状態のいずれかの状態において選択された前記コンテンツデータを前記接続している外部装置に送信する送信ステップと、
前記第二の接続手順で接続した場合、前記第一の状態に遷移することを制限するよう制御する制御ステップとを有することを特徴とする通信装置の制御方法。
【請求項１６】
コンピュータを、請求項１乃至１３のいずれか１項に記載の通信装置の各手段として機能させるための、コンピュータが読み取り可能なプログラム。
【手続補正２】
【補正対象書類名】明細書
【補正対象項目名】発明の名称
【補正方法】変更
【補正の内容】
【発明の名称】通信装置およびその制御方法、プログラム
【手続補正３】
【補正対象書類名】明細書
【補正対象項目名】０００１
【補正方法】変更
【補正の内容】
【０００１】
本発明は、他機器と接続してコンテンツの送信を行う通信装置およびその制御方法、プログラムに関する。
【手続補正４】
【補正対象書類名】明細書
【補正対象項目名】０００６
【補正方法】変更
【補正の内容】
【０００６】
上記の目的を達成するための本発明の一態様による通信装置は、
コンテンツデータを記録媒体に記録するよう制御する記録制御手段と、
予め登録された装置以外の装置を含む複数の装置のいずれかと接続するための第一の接続手順と、前記予め登録された装置と接続するための第二の接続手順とを含む複数の手順うちのいずれか一つの手順で、外部装置と接続する接続手段と、
前記記録媒体に記録されているコンテンツデータを前記接続している外部装置に送信する送信手段と、
前記第一の接続手順で接続した場合、前記送信手段により前記外部装置に送信するコンテンツデータが前記通信装置の操作部に対する操作によって選択される第一の状態となるよう制御し、前記第二の接続手順で接続した場合、前記送信手段により前記外部装置に送信するコンテンツデータが前記外部装置の操作部に対する操作によって選択される第二の状態となるよう制御する制御手段とを有する。